(57)【要約】【課題】カーテンの取付操作や開閉操作を簡単に行うことができ、また、収納や意匠性を損なうことなく、家具の目隠しや、家具へ塵や埃が侵入することを防止することができる家具用カーテンを提供すること。【解決手段】シート材からなるカーテン本体１１の上縁部に、複数個の磁石片１２を間隔をあけて配設し、メタルラック２の棚２１を構成する磁性材料製部材に磁着することができるようにする。【選択図】図１
2017023350.tif 000002
【特許請求の範囲】
【請求項１】
シート材からなるカーテン本体の上縁部に、複数個の磁石片を間隔をあけて配設し、家具を構成する磁性材料製部材に磁着することができるようにしたことを特徴とする家具用カーテン。
【請求項２】
磁石片が、表面を防水材料で覆ってなる磁石片からなることを特徴とする請求項１記載の家具用カーテン。
【請求項３】
家具を構成する磁性材料製部材が、メタルラックの棚を構成する磁性材料製部材であることを特徴とする請求項１又は２記載の家具用カーテン。
【請求項４】
家具を構成する水平方向に伸びる磁性材料製部材に沿ってスライドさせることにより開閉操作を行うようにしたことを特徴とする請求項１、２又は３記載の家具用カーテン。
【請求項５】
カーテン本体が、裁断したときに解れが生じない素材からなることを特徴とする請求項１、２、３又は４記載の家具用カーテン。
【請求項６】
カーテン本体に、横方向に裁断位置の目印となる線状の模様を形成してなることを特徴とする請求項１、２、３、４又は５記載の家具用カーテン。
【請求項７】
磁石片を、カーテン本体の上縁部を保持するクリップ部材を介して、カーテン本体の上縁部に配設するようにしたことを特徴とする請求項１、２、３、４、５又は６記載の家具用カーテン。
【請求項８】
クリップ部材が、カーテン本体の垂下部を仮保持することによってカーテン本体の長さを調節する機能を備えてなることを特徴とする請求項７記載の家具用カーテン。
【発明の詳細な説明】
【技術分野】
【０００１】
本発明は、家具用カーテンに関するものである。
【背景技術】
【０００２】
メタルラック等の家具においては、目隠しや内部へ塵や埃が侵入することを防止するために、カーテンを取り付けることが行われている。
【０００３】
この場合、カーテンを取り付ける方法として、メタルラックの場合にあっては、カーテンのフックをメタルラックの棚に直接引っかける方式や、突っ張り棒をカーテンレールとして用いる方式のほか、専用のカーテンレールを用いる方式などが提案されている（例えば、特許文献１参照。）。
【先行技術文献】
【特許文献】
【０００４】
【特許文献１】実用新案登録第３１７３１９１号公報
【発明の概要】
【発明が解決しようとする課題】
【０００５】
しかしながら、上記のカーテンのフックをメタルラックの棚に直接引っかける方式は、カーテンの取付操作や開閉操作に手数を要するという問題がある。
【０００６】
一方、突っ張り棒をカーテンレールとして用いる方式や、専用のカーテンレールを用いる方式は、カーテンレールが収納の邪魔になったり、カーテンレールが目立って、意匠性を損なうという問題があった。
【０００７】
本発明は、上記従来のメタルラック等の家具にカーテンを取り付ける場合の問題点に鑑み、カーテンの取付操作や開閉操作を簡単に行うことができ、また、収納や意匠性を損なうことなく、家具の目隠しや、家具の内部へ塵や埃が侵入することを防止することができる家具用カーテンを提供することを第１の目的とする。
【０００８】
また、本発明は、カーテンの寸法に対する汎用性が高く、品揃えするカーテンの寸法の種類を少なくすることができる家具用カーテンを提供することを第２の目的とする。
【課題を解決するための手段】
【０００９】
上記第１の目的を達成するため、本発明の家具用カーテンは、シート材からなるカーテン本体の上縁部に、複数個の磁石片を間隔をあけて配設し、家具を構成する磁性材料製部材に磁着することができるようにしたことを特徴とする。
【００１０】
この場合において、磁石片に、表面を防水材料で覆ってなる磁石片を用いることができる。
【００１１】
また、家具を構成する磁性材料製部材が、メタルラックの棚を構成する磁性材料製部材とすることができる。
【００１２】
また、家具を構成する水平方向に伸びる磁性材料製部材に沿ってスライドさせることにより開閉操作を行うようにすることができる。
【００１３】
また、上記第２の目的を達成するため、カーテン本体に、裁断したときに解れが生じない素材を用いることができる。
【００１４】
また、カーテン本体に、横方向に裁断位置の目印となる線状の模様を形成することができる。
【００１５】
また、磁石片を、カーテン本体の上縁部を保持するクリップ部材を介して、カーテン本体の上縁部に配設するようにすることができる。
【００１６】
また、クリップ部材が、カーテン本体の垂下部を仮保持することによってカーテン本体の長さを調節する機能を備えてなるようにすることができる。
【発明の効果】
【００１７】
本発明の家具用カーテンは、シート材からなるカーテン本体の上縁部に、複数個の磁石片を間隔をあけて配設し、家具を構成する磁性材料製部材に磁着することができるようにすることにより、カーテンの取付操作や開閉操作を簡単に行うことができ、また、収納や意匠性を損なうことなく、家具の目隠しや、家具の内部へ塵や埃が侵入することを防止することができる。
【００１８】
また、磁石片に、表面を防水材料で覆ってなる磁石片を用いることにより、磁石片が洗濯等によって錆びることがなく、また、磁石片によって家具の塗装等を傷つけることを防止することができる。
【００１９】
また、家具を構成する磁性材料製部材が、メタルラックの棚を構成する磁性材料製部材とすることにより、メタルラックの棚を構成する磁性材料製部材に沿ってカーテンの開閉操作を簡単に行うことができる。
【００２０】
また、家具を構成する水平方向に伸びる磁性材料製部材に沿ってスライドさせることにより開閉操作を行うようにすることにより、磁性材料製部材に沿ってカーテンの開閉操作をより簡単に行うことができる。
【００２１】
また、カーテン本体に、裁断したときに解れが生じない素材を用いることにより、ユーザーが、例えば、メタルラックの棚の高さ方向の寸法に合わせてカーテン本体を任意の位置で裁断することにより、メタルラックの棚の高さ方向の寸法に適合した形状のカーテン本体を製作することができる。また、これによって、家具用カーテンの寸法に対する汎用性が高まり、品揃えする家具用カーテンの寸法の種類を少なくすることができる。
【００２２】
また、カーテン本体に、横方向に裁断位置の目印となる線状の模様を形成することにより、例えば、メタルラックの棚の高さ方向の寸法に合わせて、カーテン本体を正確に裁断することができる。
【００２３】
また、磁石片を、カーテン本体の上縁部を保持するクリップ部材を介して、カーテン本体の上縁部に配設するようにすることにより、磁石片を、カーテン本体の上縁部に簡単に配設することができる。
【００２４】
また、クリップ部材が、カーテン本体の垂下部を仮保持することによってカーテン本体の長さを調節する機能を備えてなるようにすることにより、家具用カーテンの寸法に対する汎用性が高まり、品揃えする家具用カーテンの寸法の種類を少なくすることができる。
【図面の簡単な説明】
【００２５】
【図１】本発明の家具用カーテンの一実施例を示す説明図である。
【図２】同家具用カーテンの要部の説明図である。
【図３】同家具用カーテンのカーテン本体の説明図である。
【図４】同家具用カーテンのクリップ部材の説明図である。
【図５】同家具用カーテンに用いる磁石片の説明図である。
【発明を実施するための形態】
【００２６】
以下、本発明の家具用カーテンの実施の形態を、図面に基づいて説明する。
【００２７】
図１〜図３に、本発明の家具用カーテンの一実施例を示す。
この家具用カーテン１は、家具としてシート材からなるカーテン本体１１の上縁部に、複数個の磁石片１２を間隔をあけて配設し、家具としてのメタルラック２の棚２１を構成する磁性材料製部材に磁着することができるようにしている。
【００２８】
メタルラック２の棚２１を構成する磁性材料製部材は、通常、図１に示すように、水平方向に伸びる磁性材料製部材からなる線材や金属板を備えているため、この磁性材料製部材をレールのようにして、図１（ａ）及び図１（ｂ）に示すように、磁性材料製部材に沿ってスライドさせることによりカーテン１の開閉操作を簡単に行うことができる。
【００２９】
なお、この家具用カーテン１が対象とする家具は、メタルラック２に限定されず、磁性材料製部材を備えた家具に広く適用することができる。
【００３０】
磁石片１２をカーテン本体１１の上縁部に配設する手段としては、種々の固着手段を用いることができる。
具体的には、本実施例においては、カーテン本体１１の上縁部にカーテン本体１１の生地を巻いて筒状の収納部１１ａを形成し、穴あきの磁石片１２に嵌着される固定片１２ａを介して、収納部１１ａに固定するようにしたり、縫い込むことにより固定することができる。
なお、この場合、磁石片１２をカーテン本体１１の背面側に露出して配設することもできる。
【００３１】
カーテン本体１１は、布（織布、編布（レース）、不織布）、合成樹脂シート、これらの複合材料等の任意の素材を使用することができるが、裁断したときに解れが生じない素材を用いることが好ましい。
これにより、ユーザーが、例えば、メタルラック２の棚２１の高さ方向の寸法に合わせてカーテン本体１１を任意の位置で裁断することにより、メタルラックの棚の高さ方向の寸法に適合した形状のカーテン本体１１を製作することができる。また、これによって、家具用カーテン１の寸法の汎用性が高まり、品揃えする家具用カーテン１の寸法の種類を少なくすることができる。
【００３２】
また、図３に示すように、カーテン本体１１に、横方向に裁断位置の目印となる線状の模様１１ｂを形成することが好ましい。
これにより、例えば、メタルラック２の棚２１の高さ方向の寸法に合わせて、カーテン本体１１を正確に裁断することができる。
【００３３】
磁石片１２には、フェライト磁石、アルニコ磁石、コバルト磁石、ネオジム磁石等の汎用の磁石を用いることができる。
この場合、磁石片１２の表面を、防水材料で覆うようにする、例えば、ポリ塩化ビニル等の合成樹脂シート材１２ｂで包み、熱融着等によりシールするようにしたり、合成樹脂コーティング材料を塗布するようにすることが好ましい。
これにより、磁石片１２が洗濯等によって錆びることがなく、また、磁石片１２によって家具の塗装等を傷つけることを防止することができる。
【００３４】
ところで、上記実施例においては、磁石片１２を、カーテン本体１１の上縁部に直接取り付けるようにしたが、図４に示す変形実施例のように、カーテン本体１１の上縁部を保持するばね性を備えたクリップ部材１３を介して、クリップ部材１３に取り付けた磁石片１２を、カーテン本体１１の上縁部に配設するようにすることもできる。
具体的には、カーテン本体１１の上縁部にカーテン本体１１の生地を使ってＵ字状のクリップ部材１３の収納部１１ｃを形成し、ばね性を備えたクリップ部材１３により、収納部１１ｃを固定するようにする。
これにより、磁石片１２を、カーテン本体１１の上縁部に簡単に配設することができる。
【００３５】
また、クリップ部材１３に、本変形実施例に示すように、カーテン本体１１の垂下部１１ｄをたくって仮保持するようにすることでカーテン本体１１の長さを調節する機能を備えたものを用いることもできる。
これにより、家具用カーテン１の寸法に対する汎用性が高まり、品揃えする家具用カーテン１の寸法の種類を少なくすることができる。
【００３６】
以上のとおり、この家具用カーテン１は、カーテン１の取付操作や開閉操作を簡単に行うことができ、また、収納や意匠性を損なうことなく、メタルラック２等の家具の目隠しや、家具の内部へ塵や埃が侵入することを防止することができる。
【００３７】
以上、本発明の家具用カーテンについて、その実施例に基づいて説明したが、本発明は上記実施例に記載した構成に限定されるものではなく、その趣旨を逸脱しない範囲において適宜その構成を変更することができるものである。
【産業上の利用可能性】
【００３８】
本発明の家具用カーテンは、カーテンの取付操作や開閉操作を簡単に行うことができ、また、収納や意匠性を損なうことなく、家具の目隠しや、家具へ塵や埃が侵入することを防止することができることから、メタルラック等の家具に用いるカーテンの用途に好適に用いることができる。
【符号の説明】
【００３９】
１  家具用カーテン
１１  カーテン本体
１２  磁石片
１３  クリップ部材
２  メタルラック（家具）
２１  棚
【図１】
2017023350.tif 000003
【図２】
2017023350.tif 000004
【図３】
2017023350.tif 000005
【図４】
2017023350.tif 000006
【図５】
2017023350.tif 000007